(57)【要約】【課題】  ディスプレイの色拡散を解決する駆動回路の提供。【解決手段】  色拡散を解決する駆動回路は、エンコードユニット、参考電圧発生ユニット及び少なくとも一つの駆動ユニットを具え、エンコードユニットが異なる基色のガンマ曲線に基づき複数のエンコード値を発生し、参考電圧発生ユニットがこれらエンコード値を受け取り、並びにデジタル・アナログ変換して複数の参考電圧を発生し、駆動ユニットが参考電圧によりディスプレイパネル上の表示ユニットを駆動する。【選択図】        図４
2005049813.tif 000002
【特許請求の範囲】
【請求項１】
ディスプレイの色拡散を解決する駆動回路において、該駆動回路は複数の表示ユニットを具えたフラットパネルディスプレイに組み付けられ、該駆動回路は、
複数の特性曲線に基づき複数のエンコード値を発生するエンコードユニットと、
これらエンコード値を受け取り各エンコード値に対してデジタル・アナログ変換を行ない複数の参考電圧を発生する参考電圧発生ユニットと、
これら参考電圧を受け取り、並びにこれら参考電圧に基づきこれら表示ユニットを駆動する駆動ユニットと、
を具えたディスプレイの色拡散を解決する駆動回路。
【請求項２】
請求項１記載のディスプレイの色拡散を解決する駆動回路において、参考電圧発生ユニットが複数のデジタル・アナログ変換器により変換を行なうことを特徴とする、ディスプレイの色拡散を解決する駆動回路。
【請求項３】
請求項２記載のディスプレイの色拡散を解決する駆動回路において、デジタル・アナログ変換器がサンプル／ラッチ方式によりこれらエンコード値を入力することを特徴とする、ディスプレイの色拡散を解決する駆動回路。
【請求項４】
請求項２記載のディスプレイの色拡散を解決する駆動回路において、各デジタル・アナログ変換器が複数の制御信号線によりこれらエンコード値を入力することを特徴とする、ディスプレイの色拡散を解決する駆動回路。
【請求項５】
請求項１記載のディスプレイの色拡散を解決する駆動回路において、参考電圧発生ユニットが、
これらエンコード値を受け取りサンプル／ラッチ処理を行ない並びに出力する複数のサンプル／ラッチユニットと、
それぞれが複数の制御信号線を具えてこれら制御信号線によりこれらサンプル／ラッチユニットの出力したエンコード値を受け取りそれをデジタル・アナログ変換して参考電圧を獲得する複数のデジタル・アナログ変換器と、
これら参考電圧を受け取りその出力能力を増加してこれら参考電圧をデータドライバに送る複数のバッファユニットと、
を具えたことを特徴とする、ディスプレイの色拡散を解決する駆動回路。
【請求項６】
請求項１記載のディスプレイの色拡散を解決する駆動回路において、複数の特性曲線がそれぞれ異なる基色のガンマ曲線とされたことを特徴とする、ディスプレイの色拡散を解決する駆動回路。
【請求項７】
請求項１記載のディスプレイの色拡散を解決する駆動回路において、駆動ユニットがデータドライバとされたことを特徴とする、ディスプレイの色拡散を解決する駆動回路。
【請求項８】
請求項１記載のディスプレイの色拡散を解決する駆動回路において、複数の特性曲線のプラスマイナス極性がそれぞれ複数種類の選択電圧を具え、各選択電圧が区間電圧範囲を具えたことを特徴とする、ディスプレイの色拡散を解決する駆動回路。
【発明の詳細な説明】
【技術分野】
【０００１】
本発明は一種のディスプレイ駆動回路に係り、特に、ディスプレイの色拡散を解決する駆動回路及びその参考電圧ジェネレータに関するものである。
【背景技術】
【０００２】
ＣＲＴディスプレイは体積が膨大で且つ輻射を発生するため、徐々にフラットパネルディスプレイに取って代わられている。液晶フラットパネルディスプレイは現在市場で最もよく目にされるフラットパネルディスプレイであり、それは電圧駆動方式でパネル上の表示ユニットを駆動する。パネル上の各画素はＲ（赤）、Ｇ（緑）、及びＢ（青）の三種類の基色により制御されるが、これら基色の光学特性は異なるため、各基色の必要とする操作電圧と発光輝度曲線も異なる。図１及び図２は上述の三種類の基色の解析度と操作電圧、及び操作電圧と発光輝度の曲線表示図であり、即ちガンマ曲線表示図である。
【０００３】
現在市場にあるフラットパネルディスプレイは設計を考慮して、ＲＧＢの三種類の基色に同じ操作電圧を印加し、即ち一組のガンマ曲線（図３の如し）によりデータドライバ（或いはソースドライバと称される）によりＲＧＢの三種類のサブピクセルを駆動している、これによりパネル上の表示画素の発生する輝度がもともと発生すべき輝度との間に偏差が発生し、このためディスプレイに色拡散現象（Ｃｏｌｏｒ  Ｄｉｓｐｅｒｓｉｏｎ）が形成される。現在の技術では、操作電圧は電圧調整器と可変抵抗より提供され、三組の異なる操作電圧を提供するとなれば電圧調整器と可変抵抗の使用量が三倍となり、このため占用空間が過大となり消耗パワーも増加する。このため、三種類の異なるＲＧＢのガンマ曲線の参考電圧を同時に提供できる駆動回路の提供が、解決を要する課題とされている。
【発明の開示】
【発明が解決しようとする課題】
【０００４】
本発明の主要な目的は、ディスプレイの色拡散を解決する駆動回路及びその参考電圧ジェネレータを提供し、これによりディスプレイに発生する色拡散の状況を防止し、表示品質を高めることにある。
【０００５】
本発明のもう一つの目的は、ディスプレイの色拡散を解決する駆動回路及びその参考電圧ジェネレータを提供し、三組の独立し且つ調整できるガンマ参考電圧値を提供できるようにすることにある。
【課題を解決するための手段】
【０００６】
請求項１の発明は、ディスプレイの色拡散を解決する駆動回路において、該駆動回路は複数の表示ユニットを具えたフラットパネルディスプレイに組み付けられ、該駆動回路は、
複数の特性曲線に基づき複数のエンコード値を発生するエンコードユニットと、
これらエンコード値を受け取り各エンコード値に対してデジタル・アナログ変換を行ない複数の参考電圧を発生する参考電圧発生ユニットと、
これら参考電圧を受け取り、並びにこれら参考電圧に基づきこれら表示ユニットを駆動する駆動ユニットと、
を具えたディスプレイの色拡散を解決する駆動回路としている。
請求項２の発明は、請求項１記載のディスプレイの色拡散を解決する駆動回路において、参考電圧発生ユニットが複数のデジタル・アナログ変換器により変換を行なうことを特徴とする、ディスプレイの色拡散を解決する駆動回路としている。
請求項３の発明は、請求項２記載のディスプレイの色拡散を解決する駆動回路において、デジタル・アナログ変換器がサンプル／ラッチ方式によりこれらエンコード値を入力することを特徴とする、ディスプレイの色拡散を解決する駆動回路としている。
請求項４の発明は、請求項２記載のディスプレイの色拡散を解決する駆動回路において、各デジタル・アナログ変換器が複数の制御信号線によりこれらエンコード値を入力することを特徴とする、ディスプレイの色拡散を解決する駆動回路としている。
請求項５の発明は、請求項１記載のディスプレイの色拡散を解決する駆動回路において、参考電圧発生ユニットが、
これらエンコード値を受け取りサンプル／ラッチ処理を行ない並びに出力する複数のサンプル／ラッチユニットと、
それぞれが複数の制御信号線を具えてこれら制御信号線によりこれらサンプル／ラッチユニットの出力したエンコード値を受け取りそれをデジタル・アナログ変換して参考電圧を獲得する複数のデジタル・アナログ変換器と、
これら参考電圧を受け取りその出力能力を増加してこれら参考電圧をデータドライバに送る複数のバッファユニットと、
を具えたことを特徴とする、ディスプレイの色拡散を解決する駆動回路としている。
請求項６の発明は、請求項１記載のディスプレイの色拡散を解決する駆動回路において、複数の特性曲線がそれぞれ異なる基色のガンマ曲線とされたことを特徴とする、ディスプレイの色拡散を解決する駆動回路としている。
請求項７の発明は、請求項１記載のディスプレイの色拡散を解決する駆動回路において、駆動ユニットがデータドライバとされたことを特徴とする、ディスプレイの色拡散を解決する駆動回路としている。
請求項８の発明は、請求項１記載のディスプレイの色拡散を解決する駆動回路において、複数の特性曲線のプラスマイナス極性がそれぞれ複数種類の選択電圧を具え、各選択電圧が区間電圧範囲を具えたことを特徴とする、ディスプレイの色拡散を解決する駆動回路としている。
【発明の効果】
【０００７】
以上の説明から分かるように、本発明は異なる基色のガンマ曲線により異なるエンコード値を発生し、続いてデジタル・アナログ変換器で変換し、三種類の基色のガンマ参考電圧を獲得してデータドライバに提供し、これによりデータドライバがパネル上の表示画素に正確な輝度を表示させて、ディスプレイに発生する色拡散の状況を解決し、表示品質を高め、且つ三組の独立し並びに調整可能なガンマ参考電圧値を提供する。
【発明を実施するための最良の形態】
【０００８】
本発明はディスプレイの色拡散を解決する駆動回路を提供し、それは複数の表示ユニットを具えたフラットパネルディスプレイに組み付けられ、該駆動回路は、複数の特性曲線に基づき複数のエンコード値を発生するエンコードユニットと、これらエンコード値を受け取りそれぞれのエンコード値に対してデジタル・アナログ変換を行ない、複数の参考電圧を発生する参考電圧発生ユニットと、これら参考電圧を受け取り、並びにこれら参考電圧に基づきこれら表示ユニットを駆動する駆動ユニットと、を具えている。
【実施例１】
【０００９】
本発明のディスプレイの色拡散を解決する駆動回路の好ましい実施例は図４の機能ブロック図に示されるようであり、それは、エンコードユニット２１、参考電圧発生ユニット２２、及びデータドライバ２３で組成されている。該エンコードユニット２１は三種類の基色のガンマ曲線により複数のエンコード値を発生し、且つこれらガンマ曲線のプラスマイナス極性はいずれも複数の電圧に分割されて選択に供される。本実施例では、それぞれが１２８個の電圧に分割され、且つ各電圧の選択区間範囲は３９ミリボルトとされ、即ち各一つのエンコード値は７バイトとされ、７バイトの内容により選択する電圧が決定される。
【００１０】
参考電圧発生ユニット２２はこれらエンコード値を受け取り、並びにこれらエンコード値に対してデジタル・アナログ変換し、複数の三つの基色のガンマ参考電圧を発生する。参考電圧発生ユニット２２の内部運転状況については図５の参考電圧発生ユニット２２の内部機能ブロック図を参照されたい。それは、複数のサンプル／ラッチユニット２２１、２２２、２２３、複数のデジタル・アナログ変換器２２４、２２５、２２６及び複数のバッファユニット２２７、２２８、２２９で組成され、そのうち各サンプル／ラッチユニット２２１と各デジタル・アナログ変換器２２４の間には２本の制御信号線２３１、２３２がある。
【００１１】
これらサンプル／ラッチユニット２２１、２２２、２２３はそれぞれエンコードユニット２１の発生するエンコード値を受け取り、これらエンコード値に対してサンプル／ラッチ処理を行ない、続いてこれらのエンコード値を制御信号線２３１、２３２を介してこれらデジタル・アナログ変換器２２４、２２５、２２６に送り、これら制御信号線２３１、２３２のデータ伝送の状況については図６の入力データ表示図を参照されたい。制御信号線２３１はアドレス線と見なされ、且つ伝送するデータ（即ちエンコード値）は７バイトである。
【００１２】
続いて、図４及び図５の機能ブロック図に示されるように、これらデジタル・アナログ変換器２２４、２２５、２２６がこれらエンコード値を受け取った後に、その受け取ったエンコード値に基づきデジタル・アナログ変換を行ない、複数の参考電圧を発生し、そのうち、各参考電圧は一種類の基色のガンマ曲線に対応し、最後にバッファユニット２２７、２２８、２２９によりこれら参考電圧の出力能力が増強され、データドライバ２３に送られる。これにより、データドライバ２３が三種類の基色のガンマ参考電圧に基づきパネル上のＲＧＢの三種類サブピクセル（図示せず）を駆動し、これによりこれらサブピクセルの輝度が正確に反応し、パネル上の表示画素の発生する輝度ともともと発生すべき輝度の間に偏差が発生して色拡散が発生するのを防止できる。
【００１３】
以上の実施例は本発明の実施範囲を限定するものではなく、本発明に基づきなしうる細部の修飾或いは改変は、いずれも本発明の請求範囲に属するものとする。
【図面の簡単な説明】
【００１４】
【図１】解析度と操作電圧の曲線表示図である。
【図２】操作電圧と発光輝度の曲線表示図である。
【図３】周知の技術が採用するガンマ曲線表示図である。
【図４】本発明の好ましい実施例の機能ブロック図である。
【図５】本発明の好ましい実施例の参考電圧発生ユニットの内部機能ブロック図である。
【図６】本発明の好ましい実施例の入力データ表示図である。
【符号の説明】
【００１５】
２１  エンコードユニット            ２２  参考電圧発生ユニット
２２１、２２２、２２３  サンプル／ラッチユニット
２２４、２２５、２２６  デジタル・アナログ変換器
２２７、２２８、２２９  バッファユニット
２３  データドライバ                ２３１、２３２  制御信号線
【図１】
2005049813.tif 000003
【図２】
2005049813.tif 000004
【図３】
2005049813.tif 000005
【図４】
2005049813.tif 000006
【図５】
2005049813.tif 000007
【図６】
2005049813.tif 000008
【手続補正書】
【提出日】平成16年1月20日(2004.1.20)
【手続補正１】
【補正対象書類名】図面
【補正対象項目名】図１
【補正方法】変更
【補正の内容】
【図１】
2005049813.tif 000009
【手続補正２】
【補正対象書類名】図面
【補正対象項目名】図２
【補正方法】変更
【補正の内容】
【図２】
2005049813.tif 000010
【手続補正３】
【補正対象書類名】図面
【補正対象項目名】図３
【補正方法】変更
【補正の内容】
【図３】
2005049813.tif 000011
【手続補正４】
【補正対象書類名】図面
【補正対象項目名】図４
【補正方法】変更
【補正の内容】
【図４】
2005049813.tif 000012
【手続補正５】
【補正対象書類名】図面
【補正対象項目名】図５
【補正方法】変更
【補正の内容】
【図５】
2005049813.tif 000013
【手続補正６】
【補正対象書類名】図面
【補正対象項目名】図６
【補正方法】変更
【補正の内容】
【図６】
2005049813.tif 000014